(57)【要約】【課題】学校等において、グランドにできた水溜りをできるだけ早く簡単に吸い取り整備できる用具を提供する【解決手段】把手２１を設けた圧盤２２に連続気泡の発泡体２４を着脱可能に取り付けてなる吸水具２０と、容器１０の内部に落とし込んだ状態でセットされる簀の子状水切り１３と、上記簀の子状水切り１３により搾られる水分を収容する容器１０とからなる構成としたもので、上記簀の子状水切り１３は、その周りに少なくとも３個のフック１５が取り付け、そのフック１５を容器１０の縁に引っ掛けて容器１０の内部に落とし込んだ状態とするもの、または、上記容器１０の開口縁１１の内側に段付き部１２を形成し、この段付き部１２に簀の子状水切り１３を落とし込んでなるものである。【選択図】図１
2010029618.tif 000002
【特許請求の範囲】
【請求項１】
把手（２１）を設けた圧盤（２２）に連続気泡の発泡体（２４）を着脱可能に取り付けてなる吸水具（２０）と、容器（１０）の内部に落とし込んだ状態でセットされる簀の子状水切り（１３）と、上記簀の子状水切り（１３）により搾られる水分を収容する容器（１０）とからなる水溜り吸水具。
【請求項２】
上記簀の子状水切り（１３）は、その周りに少なくとも３個のフック（１５）が取り付けられ、そのフック（１５）を容器（１０）の縁に引っ掛けて容器（１０）の内部に落とし込んだ状態とする請求項１に記載の水溜り吸水具。
【請求項３】
上記容器（１０）の開口縁（１１）の内側に段付き部（１２）を形成し、この段付き部（１２）に簀の子状水切り（１３）を落とし込んでなる請求項１に記載の水溜り吸水具。
【請求項４】
上記吸水具（２０）の把手（２１）を梃子状とし、上記容器の開口縁（１１）の片端に懸け金（１４）を設け、この懸け金（１４）に上記吸水具（２０）の端を引っ掛けて把手（２１）を押し下げることにより水切りを行うように構成した水溜り吸水具。
【発明の詳細な説明】
【技術分野】
【０００１】  この発明は、グランドやコートに水溜りができたときに費用を掛けず、簡単に水溜りをなくすことができる水溜り吸水具に関する。
【背景技術】
【０００２】  雨後のグランドやコート（以下、グランドという）には水溜りが発生しこのまま使用するとグランドの痛みが激しくなるため水溜りの水を抜き取り整備してから使用する。【０００３】  大形のスポーツ施設では、グランドそのものに排水対策が施され、自然排水が行われるうえに、専用の機械装置を備えて万全を期している。【０００４】  しかし、学校のグランドでは上記のような大掛かりな排水対策や設備を整えることは難しく学生がぼろ布をもって水溜りの水分を吸い取りバケツに搾り出しているのが現状である。
【特許文献１】  特開２００４−１２４４８８号公報
【発明の開示】
【発明が解決しようとする課題】
【０００５】  上記状況に鑑みこの発明は学校等において、グランドにできた水溜りをできるだけ早く簡単に吸い取り整備できる用具を提供することを課題とする。
【課題を解決するための手段】
【０００６】  上記課題を解決するためにこの発明は、把手２１を設けた圧盤２２に連続気泡の発泡体２４を着脱可能に取り付けてなる吸水具２０と、容器１０の内部に落とし込んだ状態でセットされる簀の子状水切り１３と、上記簀の子状水切り１３により搾られる水分を収容する容器１０とからなる構成としたもので、上記簀の子状水切り１３は、その周りに少なくとも３個のフック１５が取り付け、そのフック１５を容器１０の縁に引っ掛けて容器１０の内部に落とし込んだ状態とするもの、また、上記容器１０の開口縁１１の内側に段付き部１２を形成し、この段付き部１２に簀の子状水切り１３を落とし込んでなるもの、上記吸水具２０の把手２１を梃子状とし、上記容器の開口縁１１の片端に懸け金１４を設け、この懸け金１４に上記吸水具２０の端を引っ掛けて把手２１を押し下げることにより水切りを行うように構成することもできる。
【発明の効果】
【０００７】  上記の如く構成するこの発明によればグランドの水溜り部分に吸水具を押し当てて連続気泡の発泡体内の空気を追い出し、次に押し当てた力を除いて連続気泡の発泡体内に水分を吸い込ませ、これを簀の子状水切りに押し当てると吸い取られた水分は容器内に搾り出される。【０００８】  このとき簀の子状水切りは、容器内に落とし込まれているので、搾り出された水は容器外にこぼれることがなく確実に容器内に収容される。【０００９】  また、把手を梃子状にし、容器の片端に設けた懸け金に吸水具の先端に引っ掛けて、把手を押し下げるようにしたものでは発泡体内に吸い込まれた水が容易に搾り出されるようになる。
【発明を実施するための最良の形態】
【実施例１】
【００１０】  次にこの発明の実施の形態を、図面を参照しながら説明する。図１はこの発明の実施例１で、容器１０は普通のバケツでもよいが、上部開口縁１１の内部を二段構造として段付き部１２を形成し、その段付き部１２に簀の子状の水切り１３を落とし込んでなる。【００１１】  ここで、容器１０に段付き部１２を設けず普通のバケツとしたときは、水きり１３の周りにフック２５を設け、このフック２５を容器１０の開口縁１１に引っ掛けるようにして水切り１３を容器１０内に落とし込むようにする（図１参照）こともできる。【００１２】  また、水切り１３は金属線を波状にし、この金属線を縦線・横線に織り成したクリンプネット１３ａに枠１３ｃを設けたものでもよく、枠１３ｃに金属線１３ｂを一定間隔あけて溶接したものでもよく、要するに吸水具２０を水切り１３に押し当てたときに水分が搾られ、搾られた水が容器１０内に落ちるようになっていればよい。【００１３】  吸水具２０は、把手２１を設けた圧盤２２に両面接着テープ２３（面ファスナーや着脱可能な接着剤、例えば住友スリーエム社製「スプレーのり」などを用いることができる）により連続気泡状態に発泡させた発泡体２４を着脱自在に取り付けたものである。【００１４】  ここで、発泡体２４と圧盤２２との着脱自在の取り付けにおいて、発泡体２４側の片面に薄膜プラスチック層（図示せず）を一体に設けることにより接着が確実になり、また逆に剥離も容易にすることができる。この薄膜プラスチック層の形成は、発泡体の成形温度より高い溶融温度を持ち、かつ、発泡体との相溶性のあるものを選択して発泡体の成形時に貼り合せ一体とすることができる。なお、フラップ２５は剥離容易にするものである。【００１５】  上記実施例の水溜り吸水具２０を使用するときは、水溜りに吸水具２０を押し当てた後それを放して水溜りの水を吸い取り、その吸水具２０を水切り１３の上に押し当てて水分を搾り出すことにより水溜りの水を除去する。
【実施例２】
【００１６】  図２は実施例２で、容器１０の開口縁１１の内部は二段構造となっており、この二段構造の段付き部１２には水切り１３が落とし込まれ、容器１０の段付き部１２の片端部分に回動可能に懸け金１４が取り付けられている。【００１７】  吸水具２０は、梃子状の把手２１を設けた圧盤２２に両面接着テープ２３（面ファスナーや着脱可能な接着剤、例えば住友スリーエム社製「スプレーのり」などを用いることができる）により連続気泡状態に発泡させた発泡体２４を着脱自在に取り付けたもので、他の部分は実施例１と同様である。【００１８】  上記実施例の水溜り吸水具２０では、水溜りを吸い取る作業は実施例１と同様であり、連続気泡状態の発泡体２４に吸い取らせた水分を搾り出す際には、懸け金１４を立てた状態にし、懸け金１４と水切り１３との間に発泡体２４を押し当てながら吸水具２０の先端を懸け金１４に引っ掛け、次に梃子状の把手２１を押し下げて水分を搾り出すようにする。【００１９】  このように構成する実施例２によれば水溜りの水を吸い取った水分を搾り出すのに梃子の作用を利用できるので搾り出しが楽なる。
【産業上の利用可能性】
【００２０】  以上説明したようにこの発明によれば大形の機械装置を用いず、費用を掛けずに簡単に水溜りを取り除くことができ、経済的で産業上利用価値が高いものである。
【図面の簡単な説明】
【００２１】
【図１】  本発明に係る実施例１の水溜り吸水具の（ａ）は一部切り欠き正面図、（ｂ）クリンプネット状水切りの平面図、（ｃ）は枠に金属線を溶接した水切りの平面図
【図２】  実施例２の一部切り欠き正面図
【符号の説明】
【００２２】１０  容器
１１  開口縁
１２  段付き部
１３  水切り
１３ａ  ネット
１３ｂ  金属線
１３ｃ  枠
１４  懸け金
１５  フック
２０  吸水具
２１  把手
２２  圧盤
２３  両面接着テープ
２４  発泡体
【図１】
2010029618.tif 000003
【図２】
2010029618.tif 000004